(57)【要約】【課題】通信端末内の適切な機能を少ない手順で起動し、ユーザの手間を軽減できるようにした通信システム等を提供すること。【解決手段】ネットワークを介して画面転送が可能なサーバと、そのサーバの画面を受信し、ＨＩＤイベントをサーバに送信する通信端末とが接続された通信システムにおいて、通信端末へ転送されたサーバの画面内にある電話番号または電子メールアドレスのテキストを利用して、通信端末内のダイヤル発信機能または新規メール作成機能を起動させる。【選択図】図４
2010021714.tif 000002
【特許請求の範囲】
【請求項１】
ネットワークを介して画面転送が可能なサーバと、そのサーバの画面を受信し、ＨＩＤイベントを前記サーバに送信する通信端末とが接続された通信システムにおいて、
前記通信端末へ転送されたサーバの画面内にある電話番号のテキストを利用して、前記通信端末内のダイヤル発信機能を起動させることを特徴とする通信システム。
【請求項２】
前記サーバの画面内にある電話番号のテキストを選択した状態で、前記通信端末のダイヤル発信機能をさらに選択することで、少ない手順で前記通信端末内のダイヤル発信機能を起動させることを特徴とする請求項１記載の通信システム。
【請求項３】
前記サーバの画面内にある電話番号のテキストを選択した際に、そのテキストを利用しての前記通信端末のダイヤル発信機能が利用可能であることを前記通信端末のユーザに報知することを特徴とする請求項１または２記載の通信システム。
【請求項４】
ネットワークを介して画面転送が可能なサーバと、そのサーバの画面を受信し、ＨＩＤイベントを前記サーバに送信する通信端末とが接続された通信システムにおいて、
前記通信端末へ転送されたサーバの画面内にある電子メールアドレスのテキストを利用して、前記通信端末内の新規メール作成機能を起動させることを特徴とする通信システム。
【請求項５】
前記サーバの画面内にある電子メールアドレスのテキストを選択した状態で、前記通信端末の新規メール作成機能をさらに選択することで、少ない手順で前記通信端末内の新規メール作成機能を起動させることを特徴とする請求項４記載の通信システム。
【請求項６】
前記サーバの画面内にある電子メールアドレスのテキストを選択した際に、そのテキストを利用しての前記通信端末の新規メール作成機能が利用可能であることを前記通信端末のユーザに報知することを特徴とする請求項４または５記載の通信システム。
【請求項７】
通信端末へ転送された自装置の画面内にある電話番号のテキストを利用して、前記通信端末内のダイヤル発信機能を起動させることを特徴とするネットワークを介して画面転送が可能なサーバ。
【請求項８】
自装置の画面内にある電話番号のテキストが選択された際に、そのテキストを利用しての前記通信端末のダイヤル発信機能が利用可能であることを前記通信端末のユーザに報知することを特徴とする請求項７記載のサーバ。
【請求項９】
通信端末へ転送された自装置の画面内にある電子メールアドレスのテキストを利用して、前記通信端末内の新規メール作成機能を起動させることを特徴とするネットワークを介して画面転送が可能なサーバ。
【請求項１０】
自装置の画面内にある電子メールアドレスのテキストが選択された際に、そのテキストを利用しての前記通信端末の新規メール作成機能が利用可能であることを前記通信端末のユーザに報知することを特徴とする請求項９記載のサーバ。
【請求項１１】
ネットワークを介して画面転送が可能なサーバの画面を受信し、ＨＩＤイベントを前記サーバに送信する通信端末において、
前記転送されたサーバの画面内にある電話番号のテキストを利用して、ダイヤル発信機能を起動させることを特徴とする通信端末。
【請求項１２】
前記サーバの画面内にある電話番号のテキストを選択した状態で、前記ダイヤル発信機能をさらに選択することで、少ない手順で前記ダイヤル発信機能を起動させることを特徴とする請求項１１記載の通信端末。
【請求項１３】
前記サーバの画面内にある電話番号のテキストを選択した際に、そのテキストを利用してのダイヤル発信機能が利用可能であることを自端末のユーザに報知することを特徴とする請求項１１または１２記載の通信端末。
【請求項１４】
ネットワークを介して画面転送が可能なサーバの画面を受信し、ＨＩＤイベントを前記サーバに送信する通信端末において、
前記転送されたサーバの画面内にある電子メールアドレスのテキストを利用して、新規メール作成機能を起動させることを特徴とする通信端末。
【請求項１５】
前記サーバの画面内にある電子メールアドレスのテキストを選択した状態で、前記新規メール作成機能をさらに選択することで、少ない手順で前記新規メール作成機能を起動させることを特徴とする請求項１１記載の通信端末。
【請求項１６】
前記サーバの画面内にある電子メールアドレスのテキストを選択した際に、そのテキストを利用しての新規メール作成機能が利用可能であることを自端末のユーザに報知することを特徴とする請求項１１または１２記載の通信端末。
【請求項１７】
通信端末へ転送されたサーバの画面内にある電話番号のテキストを利用して、前記通信端末内のダイヤル発信機能を起動させることを特徴とする通信方法。
【請求項１８】
通信端末へ転送されたサーバの画面内にある電子メールアドレスのテキストを利用して、前記通信端末内の新規メール作成機能を起動させることを特徴とする通信方法。
【請求項１９】
コンピュータに、転送されたサーバの画面内にある電話番号のテキストを利用して、ダイヤル発信機能を起動させる処理を実行させることを特徴とするプログラム。
【請求項２０】
コンピュータに、転送されたサーバの画面内にある電子メールアドレスのテキストを利用して、新規メール作成機能を起動させる処理を実行させることを特徴とするプログラム。
【発明の詳細な説明】
【技術分野】
【０００１】
本発明は、画面転送機能を持つサーバ、イベント送信機能を持つ通信端末の通信を制御する技術に関する。
【背景技術】
【０００２】
画面転送機能を持つサーバ（ＰＣ）と、サーバから転送される画面を受信し表示する機能、およびサーバに対して、キーイベントやマウスイベントなどのヒューマンインターフェースデバイスからのイベント（以下、「ＨＩＤイベント」と記載する。）の命令を送信してサーバを遠隔操作する機能を持つ携帯電話端末等の通信端末がある。
【０００３】
ここで、関連技術として、複数のウィンドウを表示できるＯＳにおいて、一方のウィンドウ上に表示された電話番号テキストを読み取り、もう一方の電話発信機能を持ったウィンドウでその番号に電話発信する特許文献１がある。
【０００４】
また、関連技術として、画像閲覧時に簡単な操作で画像データの配信元と通信可能とし、配信元で発信者を容易に特定可能とする技術が提案されている。その構成は、代理店は、広告主からの画像データを携帯電話のユーザ宛のメールに添付して送信する。画像データのテキストチャンクには、それぞれ広告主の電話番号が挿入されている。携帯電話では、例えば、閲覧している画像データに対して所定の操作が行なわれると、画像データのテキストチャンクから電話番号を抽出し、広告主に自動的に電話をかける。広告主には、携帯電話の発信者電話番号が通知されるので、発信者が容易に特定される（例えば、特許文献２参照）。
【特許文献１】特開平１１−２１５２２１号公報
【特許文献２】特開２００４−１７８４８５号公報
【発明の開示】
【発明が解決しようとする課題】
【０００５】
しかしながら、上述の関連技術では、第１の課題として、携帯電話端末からＨＩＤイベントの命令を送信し、携帯電話端末からサーバを遠隔で操作できるとはいえ、命令を受けて実際に機能が起動するのはサーバ上であるがゆえ、例えば、携帯電話端末に転送されたサーバ画面中の受信メール本文などで“Ｃｏｍｐａｃｔ  ＨＴＭＬ”における“Ｐｈｏｎｅ  ｔｏ”や“Ｍａｉｌ  ｔｏ”機能を持つテキストを遠隔操作で選択しても、携帯電話端末内のダイヤル発信機能や新規メール作成機能は起動せず、発信元が携帯電話端末である電話や電子メールは利用できないということがある。
【０００６】
また、第２の課題として、第１の課題と同じ背景により、ユーザーが転送されたサーバ画面上の電話番号に携帯電話端末からダイヤル発信したい場合には、例えば、転送された画面上に表示された電話番号を頭で覚えて、ダイヤル発信機能を起動して手入力で電話番号を入力するやり方があるが、不便である。他には転送画面内の電話番号のテキストをサーバの一時メモリ上にコピーし、携帯電話端末の専用のアプリケーションにそのコピーしたデータを転送し、その後携帯電話端末内の操作でその転送されたデータを携帯電話端末内の一時メモリにさらにコピーし、ダイヤル発信機能や新規メール作成機能を起動して貼り付けるやり方がある。これはＮＴＴネオメイト社がリリースしている光ｍｏｂｉｌｅ  ｍｙＰＣで実現されているが、手順が多く手間がかかる。
【０００７】
特許文献１では、複数台の情報端末間で画面転送を行うような利用シーンについては言及されておらず、特許文献１では上記第１、第２の課題と同じような問題が起こってしまう。
【０００８】
本発明は、以上のような課題を解決するためになされたもので、画面転送元のサーバで表示された電話番号や電子メールアドレスなどのテキストから、画面転送先の携帯電話端末等の通信端末内の適切な機能を少ない手順で起動し、ユーザの手間を軽減できるようにした通信システム、サーバ、通信端末、通信方法およびプログラムを提供することを目的とする。
【課題を解決するための手段】
【０００９】
本発明の通信システムは、ネットワークを介して画面転送が可能なサーバと、そのサーバの画面を受信し、ＨＩＤイベントを前記サーバに送信する通信端末とが接続された通信システムにおいて、
前記通信端末へ転送されたサーバの画面内にある電話番号または電子メールアドレスのテキストを利用して、前記通信端末内のダイヤル発信機能または新規メール作成機能を起動させることを特徴とする。
【００１０】
また、本発明のネットワークを介して画面転送が可能なサーバは、通信端末へ転送された自装置の画面内にある電話番号または電子メールアドレスのテキストを利用して、前記通信端末内のダイヤル発信機能または新規メール作成機能を起動させることを特徴とする。
【００１１】
また、本発明の通信端末は、ネットワークを介して画面転送が可能なサーバの画面を受信し、ＨＩＤイベントを前記サーバに送信する通信端末において、
前記転送されたサーバの画面内にある電話番号および／または電子メールアドレスのテキストを利用して、ダイヤル発信機能または新規メール作成機能を起動させることを特徴とする。
【００１２】
また、本発明の通信方法は、通信端末へ転送されたサーバの画面内にある電話番号または電子メールアドレスのテキストを利用して、前記通信端末内のダイヤル発信機能または新規メール作成機能を起動させることを特徴とする。
【００１３】
また、本発明のプログラムは、コンピュータに、転送されたサーバの画面内にある電話番号または電子メールアドレスのテキストを利用して、ダイヤル発信機能または新規メール作成機能を起動させる処理を実行させることを特徴とする。
【発明の効果】
【００１４】
本発明によれば、画面転送元のサーバで表示された電話番号や電子メールアドレスなどのテキストから、画面転送先の携帯電話端末等の通信端末内の適切な機能を少ない手順で起動し、ユーザの手間を軽減できるようにした通信システム、サーバ、通信端末、通信方法およびプログラムを提供することが可能となる。
【発明を実施するための最良の形態】
【００１５】
以下、本発明の第一の実施の形態について図面を参照して詳細に説明する。図１に示す本実施の形態における通信システムにおいて、１，２，３，４，５については携帯電話端末側、６，７，８，９についてはサーバ（ＰＣ）側の構成を表す。
【００１６】
１の通信部は転送画面データやテキストデータを、通信網を介してサーバ（ＰＣ）から受信したり、制御部２から受け取ったＨＩＤイベントデータを、通信網を介してサーバに送信したりする。
【００１７】
２の制御部は通信部１が受信した転送画面データを表示部４に送る。入力部５が取得したＨＩＤイベントのデータを通信部１に送る。また制御部２が持つ機能のうち、本願発明に大きく関わるものとして、３のダイヤル発信機能、メール作成機能がある。通信部１が受信したテキストデータはユーザーが行う選択に基づき、これら機能３のどちらかに渡す。これら機能３は携帯電話端末に一般的に搭載されているものである。他に、ユーザーが転送画面内の電話番号やメールアドレスなどのテキスト文を選択した際に、ダイヤル機能あるいは新規メール作成機能が利用可能であることを提示する命令を表示部４に出す。なお、この提示する機能はサーバ側の制御部７に持たせることもできる。
【００１８】
４の表示部は、サーバから転送された画面と、携帯電話端末内部で生成した画面を表示し、ユーザーに見せる。
【００１９】
５の入力部を利用して、ユーザーはＨＩＤイベントを入力する。またそれらのイベントで転送されたＰＣ画面内のテキストを選択する。入力されたユーザー操作情報は制御部２に送られる。
【００２０】
６のサーバ内通信部は、通信網を介して携帯電話端末からのＨＩＤイベントのデータを受信したり、制御部からくるＰＣの画面データやテキストデータを通信網に発信したりする。
【００２１】
７のサーバ内制御部は、６の通信部からくるイベントの命令に従って処理を実行する。またサーバの画面を画像データとして通信部に送る。
【００２２】
次に、図１のシステム構成図の動作を図２に示すフローチャートを使用して説明する。
Ｓ０１にあるように、図２は携帯電話端末がサーバからリアルタイムで転送されてくるサーバの画面を受信している状態から始まる。
【００２３】
図２中Ｓ０２，Ｓ０３にあるように、ユーザーが携帯電話端末の入力部を利用して、転送されたＰＣ画面内の任意のテキストを選択（図３のイメージ）しつつ、さらに携帯電話端末に備えられた「ダイヤル発信する機能」または「新規メール作成機能」のどちらかを選択すると、図２中Ｓ０４にあるように携帯電話端末はサーバに向かって、「コピー」のイベントおよびテキストデータ取得要求を送信する。
【００２４】
次に、Ｓ０４の命令を受けたサーバは、Ｓ０５にあるようにＳ０２で選択されたテキストを「コピー」し、テキストデータとして一時メモリ上に保存後、サーバの一時メモリ上のテキストデータが携帯電話端末に送信される。なお、Ｓ０３では携帯電話端末はテキスト選択中のユーザーに対して「ダイヤル発信する機能」または「新規メール作成機能」が利用可能であるとユーザーに提示する。提示方法は、例えば、携帯電話端末の画面上にダイヤル機能のメニューを表示する方法などがある。
【００２５】
テキストデータがサーバから携帯電話端末に送信されると、図２中Ｓ０６，Ｓ０７，Ｓ０８にあるように、携帯電話端末はＳ０３においてユーザーが選択した内容の機能を起動し、テキストデータを受け渡す。ダイヤル発信機能がテキストデータを受け取った場合、そのテキストデータを電話番号として扱い、ダイヤル発信をする。新規メール作成機能がテキストデータを受け取った場合、そのテキストデータを電子メールアドレスとして扱い、そのアドレス宛の新規メール作成画面を表示する。
【００２６】
上記のように、図２のフローチャートで図１のシステム概要図の動作を説明したが、図４ではシーケンス図によって、同じくシステム概要図の動作を説明している。
【００２７】
以上説明したように、本実施の形態においては、以下に記載するような効果を奏する。
第１の効果はサーバ（ＰＣ）が画面データとは別に画面内のテキストデータを携帯電話端末側に送り、その後自動で携帯電話端末はそのテキストデータを携帯電話端末内のダイヤル機能や新規メール作成機能に渡すので、ユーザーは転送画面内のテキスト文を利用しての携帯電話端末内のダイヤル機能やメール作成機能を、ワンタッチあるいはツータッチ程度で起動でき、ユーザーの手間を軽減できることである。
【００２８】
第２の効果は、転送された画面内のテキストをユーザーが選択した際に、そのテキストを利用してのダイヤル機能や新規メール作成機能が利用可能であることをユーザーに提示するので、ユーザビリティーを向上できることである。
【００２９】
なお、上述する各実施の形態は、本発明の好適な実施の形態であり、本発明の要旨を逸脱しない範囲内において種々変更実施が可能である。例えば、サーバおよび携帯電話端末の機能を実現するためのプログラムを各装置に読込ませて実行することにより各装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。また、各装置の機能が他の装置によりまとめて実現されたり、追加の装置により機能が分散されて実現される形態も本発明の範囲内である。
【図面の簡単な説明】
【００３０】
【図１】本発明の実施の形態に係るシステム構成を示す図である。
【図２】本発明の実施の形態に係るシステムの全体の動作を示すフローチャートである。
【図３】本発明の実施の形態に係る転送されたＰＣ画面内の任意のテキストを選択することを示す図である。
【図４】本発明の実施の形態に係るシステムの全体の動作を示すシーケンス図である。
【符号の説明】
【００３１】
１    通信部
２    制御部
３    ダイヤル発信機能、メール作成機能
４    表示部
５    入力部
６    制御部
７    画面転送機能
８    通信部
９    一時メモリ
【図１】
2010021714.tif 000003
【図２】
2010021714.tif 000004
【図３】
2010021714.tif 000005
【図４】
2010021714.tif 000006